(57)【特許請求の範囲】
【請求項１】
電話回線に接続された本体および前記本体と無線通信を行うコードレス電話を含むコードレス電話装置であって、
前記本体は、
操作部と、
回線制御部と、
前記操作部を介して回線捕捉要求を受けると前記回線制御部は電話回線を捕捉し、前記本体の操作部によるダイアル要求を受けると前記コードレス電話から前記電話回線にダイアルされたか否かをチェックし、前記コードレス電話から電話回線にダイアルされている場合は本体の操作による電話回線へのダイアルを禁止し、前記コードレス電話からダイアルを行っていない場合に電話回線に対してダイアルを行うように制御する制御手段とを含み、
前記コードレス電話は、
操作部と、
無線回路部と、
前記操作部を介して回線捕捉要求を受けると無線回路部を制御して回線捕捉コマンドを送信し、前記操作部によるダイアル要求を受けると前記本体から電話回線にダイアルされたか否かをチェックし、前記本体から電話回線にダイアルされている場合はコードレス電話の操作による電話回線へのダイアルを禁止し、前記本体からダイアルを行っていない場合に前記無線回路部を制御してダイアル信号を送信するように制御する制御手段と
を含むことを特徴とするコードレス電話装置。
【請求項２】
電話回線に接続された本体および前記本体と無線通信を行うコードレス電話を含むコードレス電話装置であって、
前記本体は、
操作部と、
回線制御部と、
無線回路部と、
前記操作部を介して回線捕捉要求を受けると前記回線制御部は電話回線を捕捉する手段と、
前記操作部によるダイアル要求を受けると、前記コードレス電話からの要求で回線を捕捉しているか否かをチェックする手段と、
前記コードレス電話からの要求で回線を捕捉している場合に前記コードレス電話から前記電話回線にダイアルされたか否かをチェックする手段と、
前記コードレス電話から前記電話回線にダイアルされた場合に前記電話回線が開放されるまで前記本体から前記電話回線へのダイアルを禁止し、前記コードレス電話からダイアルを行っていなければ前記回線制御部により電話回線に対してダイアルを行うように制御する手段とを含み、
前記コードレス電話は、
操作部と、
無線回路部と、
前記操作部を介して回線捕捉要求を受けると無線回路部を制御して回線捕捉コマンドを送信する手段と、
前記操作部によるダイアル要求を受けると、本体から送信されてくる信号により前記本体の要求で回線を捕捉しているか否かをチェックする手段と、
前記本体の要求で回線を捕捉している場合に前記本体から前記電話回線にダイアルされたか否かをチェックする手段と、
前記本体から前記電話回線にダイアルされた場合に電話回線が開放されるまでコードレス電話から電話回線へのダイアルを禁止し、前記本体からダイアルを行っていなければ前記無線回路部を制御してダイアル信号を送信するように制御する手段と
を含むことを特徴とするコードレス電話装置。
【請求項３】
電話回線に接続された本体および前記本体と無線通信を行うコードレス電話を含むコードレス電話装置であって、
前記本体は、
前記コードレス電話からの操作により電話回線にダイアルされた場合は所定の時間が経過するまでまたは前記電話回線が開放されるまで前記本体から前記電話回線へのダイアルを禁止し、
前記コードレス電話は、
前記本体からの操作により電話回線にダイアルされた場合は所定の時間が経過するまでまたは前記電話回線が開放されるまで前記コードレス電話から前記電話回線へのダイアルを禁止する
ことを特徴とする請求項１記載のコードレス電話装置。
【発明の詳細な説明】
【０００１】
【産業上の利用分野】
本発明は、本体およびコードレス電話からなるコードレス電話装置に関するものである。
【０００２】
【従来の技術】
図５は従来のコードレス電話装置の本体（親機）の基本構成を示すブロック図である。図５において、本体１０１は、表示部１０２、操作部１０３、主制御部１０４、回線制御部１０５、無線回路部１０７、通話部１０８およびアンテナ１０９を含み、電話回線１０６に接続される。
【０００３】
操作部１０３は回線捕捉要求およびダイアル要求を行う。主制御部１０４は本体１０１の全体の制御を行う。回線制御部１０５は回線を捕捉し、ダイアルを行う。表示部１０２は回線を捕捉したことを表示する。無線回路部１０７は、後述するコードレス電話に対して無線信号の送受信を行う。通話部１０８は電話回線１０６と通話する場合に用いられる。
【０００４】
図６は従来のコードレス電話装置のコードレス電話（子機）の基本構成を示すブロック図である。図６において、コードレス電話２０１は、表示部２０２、主制御部２０３、操作部２０４、アンテナ２０５、無線回路部２０６および通話部２０７を含む。
【０００５】
主制御部２０３はコードレス電話２０１の全体の制御を行う。操作部２０４は回線捕捉要求およびダイアル要求を行う。表示部２０２は回線を捕捉したことを表示する。無線回路部２０６は、図５の本体１０１に対して無線信号の送受信を行う。通話部２０７は本体１０１を介して電話回線１０６と通話する場合に用いられる。
【０００６】
次に、図５の本体１０１および図６のコードレス電話２０１の動作を説明する。
【０００７】
本体１０１からの発呼時には、本体１０１の主制御部１０４が、操作部１０３を介してオペレータから回線捕捉要求を受け、回線制御部１０５に回線捕捉制御を指示する。それにより、回線制御部１０５が回線を捕捉する。同時に、主制御部１０４は、回線を捕捉したことを表示部１０２により表示し、オペレータに回線捕捉の旨を知らせる。オペレータは、回線捕捉を確認すると、操作部１０３を操作することにより任意の相手先のダイアルを行う。主制御部１０４は、操作部１０３を介してオペレータからのダイアル要求を受け、回線制御部１０５を制御することにより電話回線１０６に対してダイアルを行う。オペレータは、ダイアル終了後、ダイアルした相手先とつながったことを通話部１０８により確認し、相手先のオペレータと通話を行う。
【０００８】
コードレス電話２０１からの発呼時には、コードレス電話２０１の主制御部２０３が、操作部２０４を介してコードレス電話２０１のオペレータから回線捕捉要求を受け、無線回路部２０６を制御することによりアンテナ２０５から回線捕捉コマンドを送信する。
【０００９】
本体１０１の無線回路部１０７は、アンテナ１０９を介してコードレス電話２０１からの回線捕捉コマンドを受け取ると、その回線捕捉コマンドを解析し、その解析結果を主制御部１０４に与える。主制御部１０４は、無線回路部１０７から回線捕捉コマンドの解析結果を受け取った後、回線制御部１０５に回線捕捉制御を指示する。それにより、回線制御部１０５が回線を捕捉する。同時に、主制御部１０４は、無線回路部１０７を制御することにより回線を捕捉したことを通知するコマンドをアンテナ１０９を介してコードレス電話２０１に送信する。
【００１０】
コードレス電話２０１の無線回路部２０６は、アンテナ２０５を介して本体１０１から回線を捕捉したことを通知するコマンドを受信すると、そのコマンドを解析し、その解析結果を主制御部２０３に与える。主制御部２０３は、無線回路部２０６からコマンドの解析結果を受け取った後、表示部２０２により回線を捕捉したことを表示し、コードレス電話２０１のオペレータに回線捕捉の旨を知らせる。コードレス電話２０１のオペレータは、回線捕捉を確認すると、操作部２０４を操作することにより任意の相手先へのダイアル要求を本体１０１に行う。
【００１１】
本体１０１の主制御部１０４は、回線捕捉時の制御と同様に、コードレス電話２０１のオペレータからのダイアル要求を受け、回線制御部１０５を制御することにより電話回線１０６に対してダイアルを行う。
【００１２】
コードレス電話２０１のオペレータは、ダイアル終了後、ダイアルした相手先とつながったことを通話部２０７により確認し、相手先のオペレータと通話を行う。
【００１３】
図７はダイアルが混交したときの本体１０１およびコードレス電話２０１の処理を示すフローチャートである。
【００１４】
まず、本体１０１において回線捕捉要求を行うと、回線制御部１０５が電話回線１０６を閉結する（ステップ３０１）。このとき、コードレス電話２０１からも回線捕捉要求を行うと（ステップ３０５）、既に電話回線１０６を閉結している状態であるので、そのまま回線の捕捉状態を保持する。続いて、本体１０１から１桁目のダイアル要求を行うと（ステップ３０２）、回線制御部１０５が電話回線１０６にダイアル信号を送出する。次に、コードレス電話２０１から１桁目のダイアル要求を行うと（ステップ３０６）、本体１０１からダイアル要求があった場合と同様に、回線制御部１０５は電話回線１０６にダイアル信号を送出する。次に、本体１０１から２桁目のダイアル要求を行うと（ステップ３０３）、回線制御部１０５が電話回線１０６にダイアル信号を送出する。次に、コードレス電話２０１から２桁目のダイアル要求を行うと（ステップ３０７）、本体１０１からダイアル要求があった場合と同様に、回線制御部１０５が電話回線１０６にダイアル信号を送出する。以後、同様にして、本体１０１およびコードレス電話２０１の区別なく、ダイアル要求があった順に、本体１０１の回線制御部１０５が電話回線１０６にダイアル信号を送出する（ステップ３０４，３０８）。
【００１５】
【発明が解決しようとする課題】
従来のコードレス電話装置においては、コードレス電話２０１のオペレータが本体１０１から離れた場所でコードレス電話２０１を使用し、コードレス電話２０１のオペレータおよび本体１０１のオペレータがほぼ同時に回線捕捉操作を行って双方が任意の相手先にダイアルを行った場合、本体１０１の回線制御部１０５が電話回線１０６に対して双方から要求されたダイアルを同時に行う。それにより、両方のダイアルが混交して出力されるため、コードレス電話２０１のオペレータおよび本体１０１のオペレータが共に目的の相手先に発呼できないという問題が生じていた。
【００１６】
本発明は、本体のオペレータおよびコードレス電話のオペレータがほぼ同時に回線捕捉操作を行って双方が任意の相手先にダイアルを行った場合に、両方のダイアルが混交して出力され、双方共に目的の相手先に発呼できないという不具合が防止されたコードレス電話装置を提供することを目的とする。
【００１７】
【課題を解決するための手段】
本発明に係るコードレス電話装置は、電話回線に接続された本体およびその本体と無線通信を行うコードレス電話を含むコードレス電話装置であって、本体は、操作部によるダイアル要求を受けるとコードレス電話から前記電話回線にダイアルされたか否かをチェックし、コードレス電話から電話回線にダイアルされている場合は本体の操作による電話回線へのダイアルを禁止し、前記コードレス電話からダイアルを行っていない場合に電話回線に対してダイアルを行うように制御する制御手段を含み、コードレス電話は、操作部によるダイアル要求を受けると本体から電話回線にダイアルされたか否かをチェックし、本体から電話回線にダイアルされている場合はコードレス電話の操作による電話回線へのダイアルを禁止し、本体からダイアルを行っていない場合に前記無線回路部を制御してダイアル信号を送信するように制御する制御手段とを含む。
【００２０】
本体は、コードレス電話からの操作により電話回線にダイアルされた場合は所定の時間が経過するまでまたは電話回線が開放されるまで本体から電話回線へのダイアルを禁止する制御手段を有し、コードレス電話は、本体からの操作により電話回線にダイアルされた場合は所定の時間が経過するまでまたは電話回線が開放されるまでコードレス電話から電話回線へのダイアルを禁止する制御手段を有する。
【００２１】
【作用】
第１および第２の発明に係るコードレス電話装置において、本体に設けられた制御手段はコードレス電話から電話回線にダイアルしたか否かを監視し、コードレス電話から電話回線にダイアルした場合は本体から電話回線へのダイアルを禁止する。またコードレス電話に設けられた制御手段は本体から電話回線にダイアルしたか否かを監視し、本体から電話回線にダイアルした場合はコードレス電話から電話回線へのダイアルを禁止する。
【００２４】
このように、第１および第２の発明に係るコードレス電話装置においては、本体のオペレータおよびコードレス電話のオペレータがほぼ同時に回線捕捉操作を行って双方がダイアル操作を行った場合には、先にダイアルした方にダイアルの優先権が与えられ、後にダイアルした方は、電話回線が一旦開放されるまでまたは所定時間が経過するまでダイアルすることができない。したがって、両方のダイアルが混交して出力されることがなく、双方共に目的の相手先に発呼できないという問題が防止される。
【００２５】
【実施例】
以下、本発明の実施例を図面を参照しながら説明する。
【００２６】
図１は本発明の一実施例におけるコードレス電話装置の本体（親機）の基本構成を示すブロック図である。また、図２は本発明の一実施例におけるコードレス電話装置のコードレス電話（子機）の基本構成を示すブロック図である。図１の本体１０１および図２のコードレス電話２０１において、図５の本体１０１および図６のコードレス電話２０１と同一または相当部分に同一符号を付し、その説明を省略する。
【００２７】
図１の本体１０１が図５の本体１０１と異なるのは、コードレス電話２０１からの要求を監視する監視部１１０がさらに設けられている点である。コードレス電話２０１からのコマンドは無線回路部１０７により解析され、その解析結果が監視部１１０に与えられる。監視部１１０は、その解析結果を記憶し、コードレス電話２０１の状態、すなわち回線捕捉要求、ダイアル要求および回線開放要求が行われたかどうかを監視する。
【００２８】
図２のコードレス電話２０１が図６のコードレス電話２０１と異なるのは、本体１０１からの要求を監視する監視部２０８がさらに設けられている点である。コードレス電話２０１からダイアル要求を行ったときに本体１０１の無線回路部１０７から送信されてくる信号は無線回路部２０６により解析され、その解析結果が監視部２０８に与えられる。監視部２０８は、その解析結果に基づいて、本体１０１の状態、すなわち回線捕捉要求、ダイアル要求および回線開放要求が行われたかどうかを監視する。
【００２９】
図３は図１に示す本体１０１の発呼処理を示すフローチャートである。本体１０１からの発呼時には、本体１０１の主制御部１０４が、操作部１０３を介してオペレータから回線捕捉要求を受け、回線制御部１０５に回線捕捉制御を指示する。それにより、回線制御部１０５が回線を捕捉する（ステップ４０１）。同時に、主制御部１０４は、表示部１０２により回線捕捉を行ったことを表示し、オペレータに回線捕捉の旨を知らせる。オペレータは、回線捕捉を確認すると、操作部１０３を操作することにより任意の相手先のダイアルを行う。
【００３０】
主制御部１０４は、回線開放要求があると（ステップ４０２）、回線制御部１０５を制御することにより回線を開放する（ステップ４０９）。
【００３１】
主制御部１０４は、操作部１０３を介してオペレータからダイアル要求を受けると（ステップ４０３）、コードレス電話２０１からの要求で回線を捕捉しているか否かを監視部１１０によりチェックし（ステップ４０４）、コードレス電話２０１からの要求で回線を捕捉していれば、コードレス電話２０１から既にダイアルを行ったか否かをチェックする（ステップ４０５）。コードレス電話２０１からダイアルを既に行っていたならば、主制御部１０４は、本体１０１からのダイアル要求は実行せず、回線捕捉状態を継続し、ステップ４０２に戻る。
【００３２】
コードレス電話２０１からダイアルを行っていなければ、主制御部１０４は、本体１０１からのダイアル要求に従って、回線制御部１０５を制御することにより電話回線１０６に対してダイアルを行う（ステップ４０６，４０７，４０８）。オペレータはダイアル終了後、ダイアルした相手先とつながったことを通話部１０８により確認し、相手先のオペレータと通話を行う。
【００３３】
図４は本実施例におけるコードレス電話２０１の発呼処理を示すフローチャートである。コードレス電話２０１からの発呼時には、コードレス電話２０１の主制御部２０３が、操作部２０４を介してコードレス電話２０１のオペレータから回線捕捉要求を受け、無線回路部２０６を制御することによりアンテナ２０５から回線捕捉コマンドを送信する（ステップ５０１）。
【００３４】
本体１０１の無線回路部１０７は、アンテナ１０９を介してコードレス電話２０１からの回線捕捉コマンドを受け取ると、その回線捕捉コマンドを解析し、その解析結果を主制御部１０４および監視部１１０に与える。監視部１１０は、与えられた解析結果に基づいてコードレス電話２０１の状態を記憶しておく。主制御部１０４は、回線制御部１０５に回線捕捉制御を指示する。それにより、回線制御部１０５が回線を捕捉する。同時に、主制御部１０４は、無線回路部１０７を制御し、回線捕捉を行ったことを通知するコマンドをアンテナ１０９を介してコードレス電話２０１に送信する。
【００３５】
コードレス電話２０１の無線回路部２０６は、アンテナ２０５を介して本体１０１から回線捕捉を通知するコマンドを受信すると（ステップ５０２）、そのコマンドを解析し、その解析結果を主制御部２０３に与える。主制御部２０３は、無線回路部２０６から解析結果を受け取った後、回線捕捉を行ったことを表示部２０２により表示し、コードレス電話２０１のオペレータに回線捕捉の旨を知らせる。コードレス電話２０１のオペレータは、回線捕捉を確認すると、操作部２０４を操作することにより任意の相手先へのダイアル要求を行う。
【００３６】
主制御部２０３は、回線開放要求があると（ステップ５０３）、無線回路部２０６を制御することにより回線開放要求を示す信号を本体１０１に送信する（ステップ５１０）。
【００３７】
主制御部２０３は、操作部２０４を介してダイアル要求を受け取ると（ステップ５０４）、無線回路部２０６を制御することによりダイアル要求を示す信号を本体１０１に送信する。無線回路部２０６が本体１０１から送信されてくる信号を受信すると、主制御部２０３は、本体１０１の要求で回線を捕捉しているか否かを監視部２０８によりチェックし（ステップ５０５）、本体１０１の要求で回線を捕捉していれば、本体１０１から既にダイアルを行ったか否かをチェックする（ステップ５０６）。本体１０１から既にダイアルが行われていれば、主制御部２０３は、ダイアル信号の送信を行わず、回線捕捉を継続し、ステップ５０３に戻る。
【００３８】
本体１０１からダイアルが行われていなければ、主制御部２０３は、ダイアル要求を受け、無線回路部２０６を制御することによりアンテナ２０５からダイアル信号を送信する（ステップ５０７，５０８，５０９）。
【００３９】
本体の無線回路部１０７は、コードレス電話２０１からのコマンドを受信すると、そのコマンドを解析し、その解析結果を主制御部１０４に与える。主制御部１０４は、その解析結果を受け取った後、回線制御部１０５にダイアル制御を指示し、電話回線１０６に対してダイアルを出力させる。
【００４０】
コードレス電話２０１のオペレータは、発呼先とつながったことを通話部２０７により確認し、相手先のオペレータと通話を行う。
【００４１】
以上のように、本実施例によれば、コードレス電話２０１のオペレータおよび本体１０１のオペレータがほぼ同時に回線捕捉操作を行って双方がダイアル操作を行っても、先にダイアルした方にダイアルの優先権が与えられ、後にダイアルした方は、回線が一旦開放されるまでダイアルすることができない。それにより、両方のダイアルが混交して出力されることがないので、双方共に目的の相手先に発呼できないという問題を防止することができる。
【００４２】
次に、本発明の他の実施例におけるコードレス電話装置の本体１０１およびコードレス電話２０１について説明する。なお、本実施例の本体１０１およびコードレス電話２０１の構成は、図１および図２に示される構成と同様である。
【００４３】
本実施例においては、図１に示される本体１０１の監視部１１０および図２に示されるコードレス電話２０１の監視部２０８がタイマー部を有している。本体１０１において、コードレス電話２０１のダイアル要求を検出すると、監視部１１０のタイマー部が一定時間を計測する。また、コードレス電話２０１において、本体１０１のダイアル要求を検出すると、監視部２０８のタイマー部が一定時間を計測する。
【００４４】
以上のように構成されたコードレス電話装置において、本体１０１の監視部１１０は、コードレス電話２０１のダイアル要求があると、タイマー部で一定時間を計測する。主制御部１０４は、一定時間が経過するまで、または、回線が開放されるまで、本体１０１から電話回線１０６へのダイアル信号の送出を禁止するよう制御を行う。逆に、コードレス電話２０１の監視部２０８は、本体１０１のダイアル要求を検出した場合には、タイマー部で一定時間を計測する。主制御部２０３は、一定時間が経過するまで、または、回線が開放されるまで、コードレス電話２０１からのダイアル信号の送信を禁止するように制御を行う。
【００４５】
以上のように、上記実施例によれば、コードレス電話２０１のオペレータおよび本体１０１のオペレータがほぼ同時に回線捕捉操作を行って双方がダイアル操作を行っても、先にダイアルした方にダイアルの優先権が与えられ、後にダイアルした方は、回線が一旦開放されるまで、または、任意の時間が経過するまでダイアルすることができない。それにより、両方のダイアルが混交して出力されることがないので、双方共に目的の相手先に発呼できないという問題を防止することができる。
【００４６】
【発明の効果】
以上のように第１および第２の発明によれば、本体のオペレータおよびコードレス電話のオペレータが同時に回線捕捉操作を行って双方がダイアル操作を行った場合に、先にダイアルした方にダイアルの優先権が与えられ、後にダイアルした方は電話回線が一旦開放されるまでまたは所定時間が経過するまでダイアルすることができない。したがって、両方のダイアルが混交して出力されることがなく、双方共に目的の相手先に発呼できないという問題が防止される。
【図面の簡単な説明】
【図１】本発明の一実施例におけるコードレス電話装置の本体の基本構成を示すブロック図
【図２】本発明の一実施例におけるコードレス電話装置のコードレス電話の基本構成を示すブロック図
【図３】本発明の一実施例におけるコードレス電話装置の本体の発呼処理を示すフローチャート
【図４】本発明の一実施例におけるコードレス電話装置のコードレス電話の発呼処理を示すフローチャート
【図５】従来のコードレス電話装置の本体の基本構成を示すブロック図
【図６】従来のコードレス電話装置のコードレス電話の基本構成を示すブロック図
【図７】従来のコードレス電話装置においてダイアルが混交したときの本体およびコードレス電話の処理を示すフローチャート
【符号の説明】
１０１  本体
１０２  表示部
１０３  操作部
１０４  主制御部
１０５  回線制御部
１０６  電話回線
１０７  無線回路部
１０８  通話部
１０９  アンテナ
１１０  監視部
２０１  コードレス電話
２０２  表示部
２０３  主制御部
２０４  操作部
２０５  アンテナ
２０６  無線回路部
２０７  通話部
２０８  監視部
【図１】
0003632998.tif 000002
【図２】
0003632998.tif 000003
【図３】
0003632998.tif 000004
【図４】
0003632998.tif 000005
【図５】
0003632998.tif 000006
【図６】
0003632998.tif 000007
【図７】
0003632998.tif 000008